(57)【要約】      （修正有）【課題】ひったくり犯からかばんを奪われることを防止するひったくり防止かばんを提供する。【解決手段】ひったくり防止かばん１００は、かばん本体１０と、ひも１２０を備える防犯ブザーＢ１と、かばん本体１０に設けられた防犯ブザー収容部１１０と、ひも１２０をかばん本体１０の外部に出すためのひも用開口部と、を有する。防犯ブザーＢ１は、本体と、スイッチと、スピーカーと、ひも１２０と、を有している。ひも１２０がひっぱられると、スイッチは、Ｏｎ状態となり、スピーカーは、警告音を鳴らす。【選択図】図１
0003194577.tif 000002
【実用新案登録請求の範囲】
【請求項１】
かばん本体と、
ひもを備える防犯ブザーと、
前記かばん本体に設けられた防犯ブザー収容部と、
前記ひもを前記かばん本体の外部に取り出すためのひも用開口部と、
を有し、
前記防犯ブザーは、
前記ひもをひっぱられることにより警告音を発するものであること
を特徴とするひったくり防止かばん。
【考案の詳細な説明】
【技術分野】
【０００１】
本明細書の技術分野は、ひったくり防止かばんに関する。
【背景技術】
【０００２】
ショルダーバッグ等のかばんは、特許文献１のように、かばん本体と、ショルダーバンドと、により構成されていることが一般的である。特許文献１では、ショルダーバンドの長さを調節することができるとしている。
【先行技術文献】
【特許文献】
【０００３】
【特許文献１】特開２０１４−００８１７２号公報
【考案の概要】
【考案が解決しようとする課題】
【０００４】
ところで、女性がショルダーバッグを肩にかけた状態で持ち歩くと、ひったくり犯に狙われやすい。特許文献１に記載の技術では、女性がひったくり犯からかばんを守ることは困難である。
【０００５】
本明細書の技術は、前述した従来の技術が有する問題点を解決するためになされたものである。すなわちその課題とするところは、ひったくり犯からかばんを奪われることを防止するひったくり防止かばんを提供することである。
【課題を解決するための手段】
【０００６】
第１の態様におけるひったくり防止かばんは、かばん本体と、ひもを備える防犯ブザーと、かばん本体に設けられた防犯ブザー収容部と、ひもをかばん本体の外部に取り出すためのひも用開口部と、を有する。防犯ブザーは、ひもをひっぱられることにより警告音を発するものである。
【０００７】
このひったくり防止かばんは、ひも用開口部から出ているひもを持ち主の身体もしくは衣服等に結び付けて使用する。そのため、ひったくり犯がこのひったくり防止かばんをひったくろうとすると、防犯ブザーのひもが引っ張られることとなる。そして、防犯ブザーは、大きな警告音を発し続ける。そのため、ひったくり犯は、このかばんを保持し続けることをあきらめる。そして、このかばんは、持ち主の元へ戻ることとなる。
【考案の効果】
【０００８】
本明細書では、ひったくり犯からかばんを奪われることを防止するひったくり防止かばんが提供されている。
【図面の簡単な説明】
【０００９】
【図１】実施形態におけるひったくり防止かばんの概略構成を示す概念図である。
【図２】実施形態におけるひったくり防止かばんに収容される防犯ブザーを説明するための図である。
【考案を実施するための形態】
【００１０】
以下、具体的な実施形態について、ひったくり防止かばんを例に挙げて図を参照しつつ説明する。
【００１１】
１．ひったくり防止かばん
図１は、本実施形態のひったくり防止かばん１００の概略構成を示す図である。ひったくり防止かばん１００は、かばん本体１０と、バンド２０と、防犯ブザーＢ１と、防犯ブザー収容部１１０と、ひも用開口部（図示せず）と、を有している。図１に示すように、防犯ブザーＢ１のひも１２０は、ひも用開口部（図示せず）からかばん本体１０の外部に出ている。ひも用開口部（図示せず）は、ひも１２０をかばん本体１０の外部に取り出すための貫通孔である。防犯ブザー収容部１１０は、かばん本体１０の内部に設けられている。
【００１２】
かばん本体１０は、かばんの持ち主が、持ち歩く物を収容するためのものである。バンド２０は、かばんの持ち主が、ひったくり防止かばん１００を持つためのものである。そのため、バンド２０は、かばん本体１０に固定されている。
【００１３】
防犯ブザー収容部１１０は、防犯ブザーＢ１を収容するためのものである。そのため、防犯ブザー収容部１１０は、かばん本体１０の内部にある。そして、防犯ブザーＢ１の本体がかばん本体１０の外部から見えないようになっている。また、前述したように、防犯ブザーＢ１のひも１２０が、ひも用開口部（図示せず）から出ている。このひも１２０をひっぱることにより、防犯ブザーＢ１が鳴るようになっている。また、ひも１２０は、持ち主の身体もしくは衣服等に結び付けるためのものである。
【００１４】
２．防犯ブザー
図２は、ひったくり防止かばん１００の防犯ブザー収容部１１０に収容される防犯ブザーＢ１を示す図である。防犯ブザーＢ１は、本体Ｃ１と、スイッチＥ１と、スピーカーＳ１と、ひも１２０と、を有している。本体Ｃ１は、各部を収容している。スイッチＥ１は、ひも１２０がひっぱられることによりＯｆｆ状態をＯｎ状態とするものである。スピーカーＳ１は、スイッチＥ１がＯｎ状態のときに音を発生させるためのものである。
【００１５】
３．使用方法
持ち主がこのひったくり防止かばん１００を使用する場合について説明する。持ち主は、かばん本体１０のひも用開口部（図示せず）から出ているひも１２０を持ち主の身体に結び付ける。例えば、ひも１２０を持ち主のウエストに巻きつける。または、ひも１２０をベルトのバックルに結び付けてもよい。そして、その上で、持ち主は、このひったくり防止かばんを持つ。
【００１６】
ひったくり犯がこのひったくり防止かばん１００を奪おうとする場合について説明する。この場合、オートバイ等に乗ったひったくり犯は、かばん本体１０もしくはバンド２０を持って逃走しようとする。その際に、かばん本体１０もしくはバンド２０が持ち主の身体を離れることがある。しかし、ひも１２０の少なくとも一部は、持ち主の身体に固定されている。そのため、ひも１２０がひっぱられて、防犯ブザーＢ１が鳴る。この防犯ブザーＢ１は、一定時間鳴り続ける。そして、音は、ひったくり防止かばん１００から発せられる。つまり、ひったくり犯は、音が鳴りっぱなしのひったくり防止かばん１００を持った状態になる。よって、ひったくり犯は、かばんの確保より逃走を優先させて、このひったくり防止かばん１００を手放すと考えられる。つまり、ひったくりは防止される。
【００１７】
４．本実施形態のまとめ
以上詳細に説明したように、本実施形態のひったくり防止かばんは、ひも用開口部から出ているひもを持ち主の身体もしくは衣服等に結び付けて使用する。そのため、ひったくり犯がこのひったくり防止かばんをひったくろうとすると、防犯ブザーのひもが引っ張られることとなる。そして、防犯ブザーは、大きな警告音を発し続ける。そのため、ひったくり犯は、このかばんを保持し続けることをあきらめる。そして、このかばんは、持ち主の元へ戻ることとなる。
【符号の説明】
【００１８】
１００…ひったくり防止かばん
１０…かばん本体
２０…バンド
Ｂ１…防犯ブザー
１１０…防犯ブザー収容部
１２０…ひも
【図２】
0003194577.tif 000003
【図１】
0003194577.tif 000004